(57)【要約】【課題】共用（又は共有）のwindowだけでなく、個人用のwindowについてもウェブブラウザによって表示させ、個人用のwindowにもサーバからのコンテンツを表示させることで、ウェブブラウザで表示する複数のwindow間でコンテンツの連携を行う。【解決手段】利用者は端末２ｃでwindow(102c)からwindow(112c)にコンテンツ「Ｃ」をドラックアンドドロップすると(S5)、window(112c)のウェブブラウザはサーバ６の共用電子キャンパスｃｃに、「Ｃ」のコンテンツＩＤ及びコピー元の個人電子キャンパスｄｃ３のＵＲＬを送信(S6)。共用電子キャンパスｃｃはＵＲＬで示される個人電子キャンパスｄｃ３からコンテンツＩＤで示される「Ｃ」のコンテンツを取得(S8)。共用電子キャンパスｃｃはwindow(112c)に対して「ＲＣ」のコンテンツのデータを送信(S9-2)。【選択図】図５
2020077375.tif 000002
【特許請求の範囲】
【請求項１】
コンテンツを管理するコンテンツ管理サーバから送信されたコンテンツのデータに基づき、ウェブブラウザによって所定の操作表示領域に前記コンテンツを表示する通信端末であって、
前記ウェブブラウザによって、第１の操作表示領域及び当該第１の操作表示領域にコンテンツを表示すると共に、第２の操作表示領域を表示する表示制御手段と、
前記第１の操作表示領域に表示されているコンテンツが前記第２の操作表示領域にドラックアンドドロップされる処理を受け付ける受付手段と、
前記受付手段によって前記処理が受け付けられたことにより、前記コンテンツ管理サーバに対して、前記ドラッグアンドドロップされたコンテンツのデータの位置を指定するための位置指定情報を送信する送信手段と、
前記送信手段によって前記位置指定情報が送信されたことにより、前記コンテンツ管理サーバが送信した前記第２の操作表示領域に表示させる前記ドラッグアンドドロップされたコンテンツのデータを受信する受信手段と、を有し、
前記表示制御手段は、前記第２の操作表示領域に前記ドラッグアンドドロップされたコンテンツを表示することを特徴とする通信端末。
【請求項２】
前記送信手段は、前記コンテンツ管理サーバに対して、前記ドラッグアンドドロップされたコンテンツのデータを識別するためのコンテンツ識別情報を送信し、
前記受信手段は、前記送信手段によって前記ドラッグアンドドロップされたコンテンツ識別情報が送信されたことに応じて、前記コンテンツ管理サーバが送信したドラッグアンドドロップされたコンテンツのデータであり前記第２の操作表示領域に表示させる画面要素のデータを受信すること
を特徴とする請求項１に記載の通信端末。
【請求項３】
前記第１の操作表示領域は共有画面を表示する操作表示領域であり、前記第２の操作表示領域は個人のコンテンツを表示する操作表示領域であることを特徴とする請求項２に記載の通信端末。
【請求項４】
前記ドラッグアンドドロップされたコンテンツは、前記第１の操作表示領域に表示されている画面全体のコンテンツであることを特徴とする請求項１に記載の通信端末。
【請求項５】
前記１の操作表示領域は共有画面のコンテンツを表示する操作表示領域であり、前記第２の操作表示領域は個人のコンテンツを表示する操作表示領域であることを特徴とする請求項１に記載の通信端末。
【請求項６】
請求項１乃至５のいずれか一項に記載の通信端末と、
前記コンテンツ管理サーバと、
を有することを特徴とする情報共有システム。
【請求項７】
前記コンテンツ管理サーバは、
前記通信端末でウェブブラウザによって第１の操作表示領域に表示させるコンテンツのデータを記憶する第１の位置、及び前記通信端末でウェブブラウザによって第２の操作表示領域に表示させるコンテンツのデータを記憶する第２の位置を有する記憶手段と、
前記通信端末において前記第１の操作表示領域に表示されているコンテンツが前記第２の操作表示領域にドラックアンドドロップされたことにより前記通信端末が送信した、前記第１の位置を指定するための位置指定情報を受信する指定情報受信手段と、
前記位置指定情報で指定される第１の位置に記憶されている前記ドラッグアンドドロップされたコンテンツのデータを前記第２の位置にデータコピーして記憶する記憶処理手段と、
前記第２の位置に記憶された前記ドラッグアンドドロップされたコンテンツのデータを、前記通信端末が受信できるように送信するコンテンツ送信手段と、
を有することを特徴とする請求項６に記載の情報共有システム。
【請求項８】
コンテンツを管理するコンテンツ管理サーバから送信されたコンテンツのデータに基づき、ウェブブラウザによって所定の操作表示領域に前記コンテンツを表示する通信端末が実行する表示方法であって、
前記ウェブブラウザによって、第１の操作表示領域及び当該第１の操作表示領域にコンテンツを表示すると共に、第２の操作表示領域を表示する表示制御ステップと、
前記第１の操作表示領域に表示されているコンテンツが前記第２の操作表示領域にドラックアンドドロップされる処理を受け付ける受付ステップと、
前記受付ステップによって前記処理が受け付けられたことにより、前記コンテンツ管理サーバに対して、前記ドラッグアンドドロップされたコンテンツのデータの位置を指定するための位置指定情報を送信する送信ステップと、
前記送信ステップによって前記位置指定情報が送信されたことにより、前記コンテンツ管理サーバから送信された前記第２の操作表示領域に表示用の前記ドラッグアンドドロップされたコンテンツのデータを受信する受信ステップと、を実行し
前記表示制御ステップは、前記第２の操作表示領域に前記ドラッグアンドドロップされたコンテンツを表示する処理を含むことを特徴とする表示方法。
【請求項９】
前記送信ステップは、前記コンテンツ管理サーバに対して、前記ドラッグアンドドロップされたコンテンツのデータを識別するためのコンテンツ識別情報を送信する処理を含み、
前記受信ステップは、前記送信ステップによって前記コンテンツ識別情報が送信されたことに応じて、前記コンテンツ管理サーバが送信した前記ドラッグアンドドロップされたコンテンツのデータであり前記第２の操作表示領域に表示させる画面要素のデータを受信する処理を含むこと
を特徴とする請求項８に記載の表示方法。
【請求項１０】
コンピュータに、請求項８又は９に記載の方法を実行させるためのプログラム。
【発明の詳細な説明】
【技術分野】
【０００１】
本開示内容は、通信ネットワークを介してコンテンツを共用する発明に関する。
【背景技術】
【０００２】
近年、働き方改革を促進するため、ICT（情報通信技術）を活用した場所や時間にとらわれない柔軟な働き方であるテレワークが行われるようになった。また、テレワークを行う場合であっても複数拠点で会議や打合せを行うことができるように、通信ネットワークを介して会議等の資料を共用（又は共有）したり、ビデオ会議が行われたりしている。この場合、サーバによって仮想のルーム(Room)が作成され、この仮想のルームに個人端末等で参加した各利用者が、資料を共用（又は共有）することで、できるだけ現実の会議室に近づけた会議を行うことができる（特許文献１参照）。このような情報共用システムによって、個人の資料のコンテンツを仮想のルームで共用（又は共有）したり、仮想のルームで共用（又は共有）している資料のコンテンツを個人の資料として取り込んだりすることができる。例えば、利用者は、PC(Personal Computer)等の個人端末にウェブブラウザによって共用（又は共有）のwindow(PCのGUI(Graphical User Interface)を表示させ、この共用（又は共有）のwindowにサーバから得た共用（又は共有）のコンテンツを表示させて遠隔会議を行う。また、利用者は、同じ個人端末で、文書作成ソフト、表計算ソフト、又はプレゼンテーションソフトによる別の個人用のwindowを起動することで、個人の資料を閲覧しながら遠隔会議を行うこともできる。
【発明の概要】
【発明が解決しようとする課題】
【０００３】
ところが、例えば、共用（又は共有）のwindowだけでなく、個人用のwindowについてもウェブブラウザによって表示させ、個人用のwindowにもサーバからのコンテンツを表示させることで、ウェブブラウザで表示する複数のwindow等の操作表示領域間でコンテンツの連携を行いたいというニーズがある。
【課題を解決するための手段】
【０００４】
請求項１に係る発明は、コンテンツを管理するコンテンツ管理サーバから送信されたコンテンツのデータに基づき、ウェブブラウザによって所定の操作表示領域に前記コンテンツを表示する通信端末であって、前記ウェブブラウザによって、第１の操作表示領域及び当該第１の操作表示領域にコンテンツを表示すると共に、第２の操作表示領域を表示する表示制御手段と、前記第１の操作表示領域に表示されているコンテンツが前記第２の操作表示領域にドラックアンドドロップされる処理を受け付ける受付手段と、前記受付手段によって前記処理が受け付けられたことにより、前記コンテンツ管理サーバに対して、前記ドラッグアンドドロップされたコンテンツのデータの位置を指定するための位置指定情報を送信する送信手段と、前記送信手段によって前記位置指定情報が送信されたことにより、前記コンテンツ管理サーバが送信した前記第２の操作表示領域に表示させる前記ドラッグアンドドロップされたコンテンツのデータを受信する受信手段と、を有し、前記表示制御手段は、前記第２の操作表示領域に前記ドラッグアンドドロップされたコンテンツを表示することを特徴とする通信端末である。
【発明の効果】
【０００５】
ウェブブラウザで表示する第１及び第２の操作表示領域間でコンテンツの連携を行うことができる。
【図面の簡単な説明】
【０００６】
【図１】情報共用システムの全体概念図である。
【図２】情報共用システムを構成する各端末及びサーバのハードウェア構成図である。
【図３】情報共有システムを構成する各端末及びサーバの機能ブロック図である。
【図４】（ａ）は個人コンテンツ管理テーブルの概念図、（ｂ）は共用コンテンツ管理テーブルの概念図である。
【図５】第１の実施形態に係り、個人電子キャンパスから共用電子キャンパスにコンテンツをコピーする処理を示した概念図である。
【図６】コンテンツの入力及び表示の処理を示したシーケンス図である。
【図７】コピー対象のコンテンツが画面要素の場合のコピーの処理を示したシーケンス図である。
【図８】（ａ）は無限の個人キャンパスにおける操作表示領域とコンテンツの表示位置を示した概念図、（ｂ）は無限の共用電子キャンパスにおける操作表示領域とコンテンツの表示位置を示した概念図である。
【図９】要求内容の判断処理を示したフローチャートである。
【図１０】コピー対象のコンテンツが画面要素の場合のコピーの処理を示したシーケンス図である。
【図１１】第２の実施形態に係り、共有電子スクリーンからから個人電子キャンパスにコンテンツをコピーする処理を示した概念図である。
【図１２】コピー対象のコンテンツが画面全体の場合のコピーの処理を示したシーケンス図である。
【図１３】コピー対象のコンテンツが画面全体の場合のコピーの処理を示したシーケンス図である。
【発明を実施するための形態】
【０００７】
〔第１の実施形態〕
図１乃至図１０を用いて、本発明の第１の実施形態について説明する。
【０００８】
＜情報共用システムの全体概念＞
まず、図１を用いて、情報共用システムの全体概念について説明する。図１は、情報共用システムの全体概念図である。ここでは、会社の会議室Ｘにいる利用者Ａ，Ｂと、自宅Ｙにいる利用者Ｃが、情報共用システムを利用して遠隔会議を行っている状態が示されている。会議室Ｘには、利用者Ａが個人端末２ａを持ち込み、利用者Ｂが個人端末２ｂを持ち込んでいる。また、会議室Ｘには、複数の利用者が共用可能な共用端末４が設置されている。一方、自宅Ｙには、利用者Ｃが個人端末２ｃを持ち込んでいる。なお、以下、個人端末２ａ，２ｂ，２ｃの総称を示す場合には、「個人端末２」と記す。
【０００９】
各個人端末２は、利用者がそれぞれ個別に（専用に）使用及び画面の閲覧が可能なコンピュータである。共用端末４は、複数の利用者が共同で、使用及び画面の閲覧が可能なコンピュータである。個人端末２及び共用端末４は、例えば、タブレット端末、スマートフォン、PC(Personal Computer)、PDA(Personal Digital Assistant)、スマートウォッチ、電子黒板、デジタルテレビ、ゲーム機器、コピー機能を備えたＭＦＰ(Multifunction Peripheral)カーナビゲーション装置等である。なお、個人端末２及び共用端末４は、通信端末（又は情報処理端末）の一例である。
【００１０】
各個人端末２及び共用端末４は、インターネット等の通信ネットワーク１０を介してコンテンツ管理サーバ６と通信することができる。通信ネットワーク１０は、ファイヤウォールの内側にある１つ以上のＬＡＮ(Local Area Network)でもよいし、ＬＡＮに加えてファイヤウォールの外側にあるインターネットを含んでもよい。この他、ＶＰＮ（Virtual Private Network）や広域イーサネット（登録商標）が含まれていてもよい。通信ネットワーク１０は有線又は無線のどちらで構築されてもよく、また、有線と無線が組み合わされていてもよい。また、３Ｇ、ＬＴＥ（Long Term Evolution）、４Ｇなどの携帯電話網により接続される場合、ＬＡＮはなくてもよい。
【００１１】
コンテンツ管理サーバ６は、個人端末２及び共用端末４に対して送信するコンテンツのデータを記憶及び管理しているウェブ(Web)サーバ（又はHTTPサーバ）としての機能を有するコンピュータである。コンテンツ管理サーバ６は、後述の記憶部６０００を備えており、記憶部６０００には各個人端末２からしかアクセスできない個人電子キャンパスを実現するための記憶位置（又は記憶領域）が構築されている。具体的には、個人電子キャンパスｄｃ１，ｄｃ２，ｄｃ３には、それぞれ個人端末２ａ，２ｂ，２ｃしかアクセスできない。なお、以下、個人電子キャンパスｄｃ１，ｄｃ２，ｄｃ３の総称を示す場合には、「個人電子キャンパスｄｃ」と記す。
【００１２】
また、コンテンツ管理サーバ６は、クラウドコンピューティングに対応していてもよい。クラウドコンピューティングとは、特定ハードウェア資源が意識されずにネットワーク上のリソースが利用される利用形態をいう。
【００１３】
また、コンテンツ管理サーバ６の記憶部６０００には、各個人端末２からアクセスできる共用電子キャンパスｃｃを実現するための記憶位置（又は記憶領域）が構築されている。更に、コンテンツ管理サーバ６の記憶部６０００には、各個人端末２からアクセスできる共有電子スクリーンｓｓを実現するための記憶位置（又は記憶領域）が構築されている。
【００１４】
「電子キャンパス」は、平織りで織られた厚手の布ではなく、コンテンツ管理サーバ６の記憶部６０００の記憶位置（又は記憶領域）に作成される仮想的なスペースである。電子キャンパスに対しては、例えば、Canvas要素とJavaScript（登録商標）等によって、コンテンツを閲覧及び編集することができる機能を備えている電子キャンパス用のウェブアプリによってアクセスすることができる。ウェブアプリは、ウェブブラウザ上で動作するスクリプト言語（例えば、JavaScript（登録商標））によるプログラムとウエブサーバ側のプログラムが協調することによって動作し、ウェブブラウザ上で使用されるソフトウェア又はその仕組みを示す。個人電子キャンパス、及び共用電子キャンパスは、記憶部６０００の記憶領域の範囲で無限の領域を有している。
【００１５】
また、「電子スクリーン」は、映画やスライド画像などを映して見るための白い幕ではなく、コンテンツ管理サーバ６の記憶部６０００の記憶位置（又は記憶領域）に作成される仮想的なスペースである。この電子スクリーンは、電子キャンパスと異なり、コンテンツの編集はできず、次のコンテンツを取得するまで前のコンテンツを保持する機能を備えている。電子スクリーンに対しては、例えば、WebRTC (Web Real-Time Communication)の一部等によって、コンテンツを閲覧することができる機能を備えている電子スクリーン用のウェブアプリによってアクセスすることができる。
【００１６】
更に、「個人電子キャンパス」は、遠隔会議に参加している利用者の各個人専用の電子的なスペースであり、各利用者の個人端末２は、各個人電子キャンパスに対してのみアクセスでき、文字や画像等のコンテンツの閲覧及び編集（入力、削除、コピー等）を行うことができる。「共用電子キャンパス」は、遠隔会議に参加している各利用者の共用の電子的なスペースであり、各利用者の個人端末２は、いずれも共用電子キャンパスに対してアクセスでき、文字や画像等のコンテンツの閲覧及び編集（入力、削除、コピー等）を行うことができる。「共有電子スクリーン」は、遠隔会議に参加している各利用者の共有の電子的なスペースであり、各利用者の個人端末２は、いずれも共有電子スクリーンに対してアクセスできて、共有電子スクリーンに保持されている共有画面を閲覧できる。但し、共有電子スクリーンは、個人電子キャンパス及び共用電子キャンパスと異なり、コンテンツの編集を行うことができない。例えば、個人端末２ａから共有電子スクリーンｓｓにコンテンツのデータを送信した後、個人端末２ｂから共用電子スクリーンｓｓにコンテンツのデータを送信すると、共有電子スクリーンｓｓが保持するコンテンツのデータは、直近に受信したデータとなる。
【００１７】
各個人端末２は、各自端末に搭載されたウェブブラウザの上記ウェブアプリによって、個人電子キャンパスｄｃ、共用電子キャンパスｃｃ、及び共有電子スクリーンｓｓのコンテンツを表示させることができる。
【００１８】
なお、図１では、２つの拠点（会議室Ｘ、自宅Ｙ）で遠隔会議をする場合を示しているが、これに限るものではない。例えば、１拠点のみの会議、又は３拠点以上での遠隔会議をしてもよい。
【００１９】
＜ハードウェア構成＞
図２を用いて、情報共用システムを構成する各端末及びサーバのハードウェア構成について説明する。図２は、情報共用システムを構成する各端末及びサーバのハードウェア構成図である。
【００２０】
＜＜個人端末のハードウェア構成＞＞
図２に示されているように、個人端末２は、ＣＰＵ(Central Processing Unit)２０１、ＲＯＭ(Read Only Memory)２０２、ＲＡＭ(Random Access Memory)２０３、ＨＤ(Hard Disk)２０４、ＨＤＤ(Hard Disk Drive)コントローラ２０５、記録メディア２０６、メディアＩ／Ｆ２０７、ディスプレイ２０８、タッチパネル２０９、ネットワークＩ／Ｆ２１０、キーボード２１１、マウス２１２、ＣＤ−ＲＷ(Compact Disc-ReWritable)ドライブ２１４、及び、バスライン２２０を備えている。
【００２１】
これらのうち、ＣＰＵ２０１は、個人端末２全体の動作を制御する。ＲＯＭ２０２は、ＣＰＵ２０１の駆動に用いられるプログラムを記憶する。ＲＡＭ２０３は、ＣＰＵ２０１のワークエリアとして使用される。ＨＤ２０４は、プログラム等の各種データを記憶する。ＨＤＤコントローラ２０５は、ＣＰＵ２０１の制御にしたがってＨＤ２０４に対する各種データの読み出し又は書き込みを制御する。メディアＩ／Ｆ２０７は、フラッシュメモリ等の記録メディア２０６に対するデータの読み出し又は書き込み（記憶）を制御する。ディスプレイ２０８は、カーソル、メニュー、ウィンドウ、文字、又は画像などの各種情報を表示する。タッチパネル２０９は、利用者がディスプレイ２０８を押下することで、個人端末２を操作する入力手段の一種である。ネットワークＩ／Ｆ２１０は、通信ネットワーク１０を利用してデータ通信をするためのインターフェースである。キーボード２１１は、文字、数値、各種指示などの入力のための複数のキーを備えた入力手段の一種である。マウス２１２は、各種指示の選択や実行、処理対象の選択、カーソルの移動などを行う入力手段の一種である。ＣＤ−ＲＷドライブ２１４は、着脱可能な記録媒体の一例としてのＣＤ−ＲＷ２１３に対する各種データの読み出し又は書き込みを制御する。
【００２２】
＜＜コンテンツ管理サーバのハードウェア構成＞＞
また、共用端末４は、ＣＰＵ４０１、ＲＯＭ４０２、ＲＡＭ４０３、ＨＤ４０４、ＨＤＤコントローラ４０５、記録メディア４０６、メディアＩ／Ｆ４０７、ディスプレイ４０８、タッチパネル４０９、ネットワークＩ／Ｆ４１０、キーボード４１１、マウス４１２、ＣＤ−ＲＷドライブ４１４、及び、バスライン４２０を備えている。これらは、それぞれ上述の構成（ＣＰＵ２０１、ＲＯＭ２０２、ＲＡＭ２０３、ＨＤ２０４、ＨＤＤコントローラ２０５、記録メディア２０６、メディアＩ／Ｆ２０７、ディスプレイ２０８、タッチパネル２０９、ネットワークＩ／Ｆ２１０、キーボード２１１、マウス２１２、ＣＤ−ＲＷドライブ２１４、及び、バスライン２２０）と同様の構成であるため、これらの説明を省略する。
【００２３】
また、コンテンツ管理サーバ６は、ＣＰＵ６０１、ＲＯＭ６０２、ＲＡＭ６０３、ＨＤ６０４、ＨＤＤコントローラ６０５、記録メディア６０６、メディアＩ／Ｆ６０７、ディスプレイ６０８、タッチパネル６０９、ネットワークＩ／Ｆ６１０、キーボード６１１、マウス６１２、ＣＤ−ＲＷドライブ６１４、及び、バスライン６２０を備えている。これらは、それぞれ上述の構成（ＣＰＵ２０１、ＲＯＭ２０２、ＲＡＭ２０３、ＨＤ２０４、ＨＤＤコントローラ２０５、記録メディア２０６、メディアＩ／Ｆ２０７、ディスプレイ２０８、タッチパネル２０９、ネットワークＩ／Ｆ２１０、キーボード２１１、マウス２１２、ＣＤ−ＲＷドライブ２１４、及び、バスライン２２０）と同様の構成であるため、これらの説明を省略する。なお、コンテンツ管理サーバ６は、タッチパネル６０９を備えていなくてもよい。
【００２４】
また、ＣＤ−ＲＷドライブではなく、ＤＶＤ−Ｒドライブ等であってもよい。また、個人端末２、共用端末４、及びコンテンツ管理サーバ６は、それぞれ単一のコンピュータによって構築されてもよいし、各部（機能、手段、又は記憶部）を分割して任意に割り当てられた複数のコンピュータによって構築されていてもよい。
【００２５】
＜機能構成＞
図３を用いて、情報共用システムを構成する各端末及びサーバの機能構成について説明する。図３は、情報共有システムを構成する各端末及びサーバの機能ブロック図である。
【００２６】
＜＜個人端末の機能構成＞＞
まずは、個人端末２ａの機能構成について説明する。図３に示されているように、個人端末２ａは、送受信部２１ａ、受付部２２ａ、画像処理部２３ａ、表示制御部２４ａ、判断部２５ａ、及び記憶・読出処理部２９ａを有している。これら各部は、図２に示されている各構成要素のいずれかが、ＨＤ２０４からＲＡＭ２０３上に展開されたプログラムに従ったＣＰＵ２０１からの命令によって動作することで実現される機能、又は機能する手段である。また、個人端末２ａは、図２に示されているＲＡＭ２０３及びＨＤ２０４によって構築される記憶部２０００ａを有している。
【００２７】
（個人コンテンツ管理ＤＢ）
図４（ａ）は個人コンテンツ管理テーブルの概念図である。個人端末２ａの記憶部２０００ａには、図４（ａ）に示されているような個人コンテンツ管理テーブルによって構成されている個人コンテンツ管理ＤＢ２００１ａが構築されている。この個人コンテンツ管理テーブルで管理されているデータは、コンテンツ管理サーバ６における後述の個人コンテンツ管理ＤＢ６００１で管理されている個人端末２毎のデータと同じである。例えば、個人端末２ａは、コンテンツ管理サーバ６で管理されている各個人端末２のデータのうち、個人端末２ａ用のデータを取得して、個人コンテンツ管理ＤＢ２００１ａで管理する。
【００２８】
また、個人コンテンツ管理テーブルでは、個人電子キャンパスのアクセス位置（場所）を特定するためのＵＲＬ(Uniform Resource Locator)毎に、コンテンツＩＤ、コンテンツのデータ、及びコンテンツの表示位置情報が関連付けて管理されている。これらのうち、コンテンツＩＤは、各コンテンツを識別するためのコンテンツ識別情報の一例である。コンテンツのデータは、テキストデータ、画面キャプチャ画像等の画像、描画により得られたベクタデータ等のデータである。表示位置情報は、個人電子キャンパスにおけるコンテンツの表示位置を示している。この表示位置は、無限キャンパスである個人電子キャンパス上のどの位置に表示されているかを示している。
【００２９】
なお、ＵＲＬは、位置指定情報の一例である。位置指定情報には、ＵＲＩ(Uniform Resource Identifier)等も含まれる。
【００３０】
（共用コンテンツ管理ＤＢ）
図４（ｂ）は共用コンテンツ管理テーブルの概念図である。個人端末２ａの記憶部２０００ａには、図４（ｂ）に示されているような共用コンテンツ管理テーブルによって構成されている共用コンテンツ管理ＤＢ２００２ａが構築されている。この共用コンテンツ管理テーブルで管理されているデータは、コンテンツ管理サーバ６における後述の共用コンテンツ管理ＤＢ６００２で管理されているデータと同じである。例えば、個人端末２ａは、コンテンツ管理サーバ６における共用コンテンツ管理ＤＢ６００２で管理されているデータを取得して、共用コンテンツ管理ＤＢ２００２ａで管理する。
【００３１】
また、共用コンテンツ管理テーブルでは、共用電子キャンパスのアクセス位置（場所）を特定するためのＵＲＬ毎に、コンテンツＩＤ、コンテンツのデータ、及びコンテンツの表示位置情報が関連付けて管理されている。コンテンツＩＤ、コンテンツのデータ、及びコンテンツの表示位置情報は、個人コンテンツ管理テーブルにおける各データと同じ意味であるため、これらの説明を省略する。
【００３２】
（各機能構成）
次に、個人端末２ａの各機能構成について詳細に説明する。
【００３３】
送受信部２１ａは、主に、図２に示されているＣＰＵ２０１からの命令、並びにネットワークＩ／Ｆ２１０によって実現され、通信ネットワーク１０を介して、他の端末、装置又はサーバ等と各種データ（または情報）の送受信を行う。例えば、送受信部２１ａは、HTML、CSS(Cascade Style Sheet)、及びJavaScript（登録商標）で記述されたコンテンツのデータをコンテンツ管理サーバ６から受信する。また、送受信部２１ａは、利用者によって入力された操作情報をコンテンツ管理サーバ６に送信する。
【００３４】
受付部２１ａは、主に、図２に示されているＣＰＵ２０１からの命令によって実現され、利用者によってキーボード２１１及びマウス２１２から、各種入力を受け付ける。
【００３５】
画像処理部２３ａは、図２に示されているＣＰＵ２０１からの命令によって実現され、例えば、利用者の描画に応じてベクタデータ（又はストロークデータ）を作成する等の処理を行う。
【００３６】
表示制御部２３ａは、図２に示されているＣＰＵ２０１からの命令によって実現され、ディスプレイ２０８に、各種画像や画面のコンテンツを表示させる。
【００３７】
判断部２５ａは、図２に示されているＣＰＵ２０１からの命令によって実現され、各種判断を行なう。
【００３８】
記憶・読出部２９ａは、図２に示されているＣＰＵ２０１からの命令、並びに、ＨＤＤコントローラ２０５、メディアＩ／Ｆ２０７、及びＣＤ−ＲＷドライブ２１４によって実行され、記憶部２０００ａ、記録メディア２０６、及びＣＤ−ＲＷ２１３に各種データを記憶したり、記憶部２００２、記録メディア２０６、及びＣＤ−ＲＷ２１３から各種データを読み出したりする処理を行う。
【００３９】
なお、個人端末２ｂ，２ｃは、それぞれ、送受信部２１ｂ，２１ｃ、受付部２２ｂ，２２ｃ、画像処理部２３ｂ，２３ｃ、表示制御部２４ｂ，２４ｃ、判断部２５ｂ，２５ｃ、及び記憶・読出処理部２９ｂ，２９ｃを有している。これら各部は、図２に示されている各構成要素のいずれかが、ＨＤ２０４からＲＡＭ２０３上に展開されたプログラムに従ったＣＰＵ２０１からの命令によって動作することで実現される機能、又は機能する手段である。また、個人端末２ｂ，２ｃは、図２に示されているＲＡＭ２０３及びＨＤ２０４によって構築される記憶部２０００ｂ，２０００ｃを有している。送受信部２１ｂ，２１ｃ、受付部２２ｂ，２２ｃ、画像処理部２３ｂ，２３ｃ、表示制御部２４ｂ，２４ｃ、判断部２５ｂ，２５ｃ、記憶・読出処理部２９ｂ，２９ｃ、及び、記憶部２０００ｂ，２０００ｃは、個人端末２ａにおける、送受信部２１ａ、受付部２２ａ、画像処理部２３ａ、表示制御部２４ａ、判断部２５ａ、記憶・読出処理部２９ａ、及び記憶部２０００ａと同様であるため、説明を省略する。
【００４０】
（個人コンテンツ管理ＤＢ）
個人端末２ｂの記憶部２０００ｂには、個人コンテンツ管理ＤＢ２００１ｂ，２００２ｂが構築されている。個人端末２ｃの記憶部２０００ｃには、個人コンテンツ管理ＤＢ２００１ｃ，２００２ｃが構築されている。個人コンテンツ管理ＤＢ２００１ｂ，２００１ｃ、及び、共用コンテンツ管理ＤＢ２００２ｂ，２００２ｃは、それぞれ個人コンテンツ管理ＤＢ２００１ａ、及び共用コンテンツ管理ＤＢ２００２ａと同様のデータ構造であるため、説明を省略する。
【００４１】
＜＜共用端末の機能構成＞＞
続いて、共用端末４の機能構成について説明する。図３に示されているように、共用端末４は、送受信部４１、受付部４２、画像処理部４３、表示制御部４４、判断部４５、及び記憶・読出処理部４９を有している。これら各部は、図２に示されている各構成要素のいずれかが、ＨＤ４０４からＲＡＭ４０３上に展開されたプログラムに従ったＣＰＵ４０１からの命令によって動作することで実現される機能、又は機能する手段である。また、共用端末４は、図２に示されているＲＡＭ４０３及びＨＤ４０４によって構築される記憶部４０００を有している。共用端末４における、送受信部４１、受付部４２、画像処理部４３、表示制御部４４、判断部４５、及び記憶・読出処理部４９は、それぞれ、個人端末２ａにおける、送受信部２１ａ、受付部２２ａ、画像処理部２３ａ、表示制御部２４ａ、判断部２５ａ、記憶・読出処理部２９ａ、及び記憶部２０００ａと同様であるため、説明を省略する。
【００４２】
また、共用端末４の記憶部４０００には、共用コンテンツ管理ＤＢ４００２が構築されている。共用コンテンツ管理ＤＢ４００２は、個人端末２ａの共用コンテンツ管理ＤＢ２００２ａと同様のデータ構造であるため、説明を省略する。
【００４３】
＜＜コンテンツ管理サーバの機能構成＞＞
続いて、コンテンツ管理サーバ６の機能構成について説明する。図３に示されているように、コンテンツ管理サーバ６は、送受信部６１、作成部６３、判断部６５、及び記憶・読出処理部６９を有している。これら各部は、図２に示されている各構成要素のいずれかが、ＨＤ６０４からＲＡＭ６０３上に展開されたプログラムに従ったＣＰＵ６０１からの命令によって動作することで実現される機能、又は機能する手段である。また、コンテンツ管理サーバ６は、図２に示されているＲＡＭ６０３及びＨＤ６０４によって構築される記憶部６０００を有している。
【００４４】
（各機能構成）
次に、コンテンツ管理サーバ６の各機能構成について詳細に説明する。
【００４５】
送受信部６１は、主に、図２に示されているＣＰＵ６０１からの命令、並びにネットワークＩ／Ｆ６１０によって実現され、通信ネットワーク１０を介して、他の端末、装置又はサーバ等と各種データ（または情報）の送受信を行う。
【００４６】
作成部６３は、主に、図２に示されているＣＰＵ６０１からの命令によって実現され、固有のコンテンツＩＤ等を作成する。
【００４７】
判断部６５は、主に、図２に示されているＣＰＵ６０１からの命令によって実現され、送受信部６１によってコンテンツＩＤが受信されたか否か等の判断を行う。
【００４８】
記憶・読出部６９は、図２に示されているＣＰＵ６０１からの命令、並びに、ＨＤＤコントローラ６０５、メディアＩ／Ｆ６０７、及びＣＤ−ＲＷドライブ６１４によって実行され、記憶部６０００、記録メディア６０６、及びＣＤ−ＲＷ６１３に各種データを記憶したり、記憶部６０００、記録メディア６０６、及びＣＤ−ＲＷ６１３から各種データを読み出したりする処理を行う。
【００４９】
また、コンテンツ管理サーバ６の記憶部６０００には、個人コンテンツ管理ＤＢ６００１、及び共用コンテンツ管理ＤＢ６００２が構築されている。個人コンテンツ管理ＤＢ６００１、及び共用コンテンツ管理ＤＢ６００２は、それぞれ個人コンテンツ管理ＤＢ２００１ａ、及び共用コンテンツ管理ＤＢ２００２ａと同様のデータ構造であるため、説明を省略する。
【００５０】
但し、個人コンテンツ管理ＤＢ６００１は、個人コンテンツ管理ＤＢ２００１ａ，２００１ｂ，２００１ｃの全てデータを有している。また、共用コンテンツ管理ＤＢ６００２は、共用コンテンツ管理ＤＢ２００２ａ，２００２ｂ，２００２ｃ及び共用コンテンツ管理ＤＢ４００２の全てデータを有している。
【００５１】
なお、上記各プログラムは、ＣＤ−ＲやＤＶＤ−Ｒ等の記録媒体に記録されて、国内又は海外に流通するようにしてもよい。
【００５２】
＜処理又は動作＞
続いて、図５乃至図１０を用いて、本実施形態の処理又は動作について説明する。
【００５３】
（処理又は動作の概略）
まずは、図５を用いて、第１の実施形態における処理又は動作の概略について説明する。図５は、第１の実施形態に係り、個人電子キャンパスから共用電子キャンパスにコンテンツをコピーする処理を示した概念図である。
【００５４】
ここでは、利用者Ａが個人端末２ａから共用電子キャンパスｃｃにテキストデータ「Ｒ」を入力して、個人端末２ｂ，２ｃと情報共用した状態で、利用者Ｃが自己の個人電子キャンパスｄｃ３に入力していた画面要素であるコンテンツ「ＩＣ」のうち、画面要素のコンテンツ「Ｃ」を共用電子キャンパスｃｃにコピーして、遠隔会議に参加している全利用者と情報共用する場面について説明する。
【００５５】
なお、本実施形態では、画面要素のコンテンツ「Ｃ」が特定のコンテンツの一例である。また、個人電子キャンパスｄｃ３へのアクセス先（ＵＲＬ）である記憶部６０００上の記憶位置（記憶領域）が記憶部６０００における第１の位置の一例である。共用電子キャンパスｃｃへのアクセス先（ＵＲＬ）である記憶部６０００上の記憶位置（記憶領域）が記憶部６０００における第２の位置の一例である。
【００５６】
また、後述の操作表示領域は、GUI(Graphical User Interface)によって、利用者に提示するための情報を表示したり、利用者から操作を受け付けたりするための画面上の領域であり、ウェブブラウザやアプリケーションソフトウェアの表示形態である。操作表示領域としては、例えば、Microsoft Windows(登録商標)等が該当する。操作表示領域１０２ｃ，１１２ｃは、無限の共用電子キャンパスｃｃにおける任意の領域を表わしている。操作表示領域１０２ｃは、無限の個人電子キャンパスｄｃ３における任意の領域を表わしている。
【００５７】
まず、個人端末２ａでは、共用電子キャンパスｃｃのコンテンツを表示させる操作表示領域１１２ａ上にコンテンツ「Ｒ」が入力され、個人端末２ａがコンテンツ管理サーバ６の共用電子キャンパスｃｃにコンテンツ「Ｒ」のデータを送信する（Ｓ１）。これにより、コンテンツ管理サーバ６は、遠隔会議に参加している全ての個人端末２（図５では、個人端末２ａ，２ｃ）にコンテンツ「Ｒ」のデータを送信する（Ｓ２−１，２）。個人端末２ａでは、ウェブブラウザにより操作表示領域１１２ａにコンテンツ「Ｒ」が表示され、個人端末２ｃでは、ウェブブラウザにより操作表示領域１１２ｃにコンテンツ「Ｒ」が表示される。
【００５８】
一方、個人端末２ｃでは、個人電子キャンパスｄｃ３のコンテンツを表示させる操作表示領域１０２ｃ上にコンテンツ「ＩＣ」が入力され、個人端末２ｃがコンテンツ管理サーバ６の個人電子子キャンパスｄｃ３にコンテンツ「ＩＣ」のデータを送信する（Ｓ３）。これにより、コンテンツ管理サーバ６は、個人端末２ｃにコンテンツ「ＩＣ」のデータを送信する（Ｓ４）。個人端末２ａでは、ウェブブラウザにより操作表示領域１０２ｃにコンテンツ「ＩＣ」が表示される。
【００５９】
この前提状態で、利用者Ｃは、自分が入力した情報を遠隔会議に参加している他の利用者と共用するため、操作表示領域１０２ｃ上の画面要素であるコンテンツ（ここでは「Ｃ」）を、操作表示領域１１２ｃ上の所望の位置にドラックアンドドロップしてコピーする（Ｓ５）。なお、本実施形態では、操作表示領域１０２ｃが第１の操作表示領域の一例であり、操作表示領域１１２ｃが第２の操作表示領域の一例である。
【００６０】
次に、個人端末２ｃは、操作表示領域１１２ｃを表示させるウェブブラウザによって、コンテンツ管理サーバ６に対して、コンテンツ「Ｃ」のコピー要求を行う（Ｓ６）。このコピー要求には、コンテンツ「Ｃ」のコンテンツＩＤ、及びコピー元である個人電子キャンパスｄｃ３のＵＲＬが含まれている。即ち、ドラックアンドドロップによって、コピー元を特定することができる。なお、ドラッグアンドドロップによってコピー元を特定後、コピー先でコンテンツが表示されるまでの間、コピー元のコンテンツの表示形態を半透明等に変化させるようにしてもよい。
【００６１】
次に、コンテンツ管理サーバ６側では、共用電子キャンパスｃｃが個人電子キャンパスｄｃ３のＵＲＬに対して、コンテンツのデータを要求する（Ｓ７）。この要求対象は、コンテンツ「Ｃ」のコンテンツＩＤによって特定される。そして、コンテンツ管理サーバ６では、個人電子キャンパスｄｃ３が共用電子キャンパスｃｃに対して、コンテンツ「Ｃ」のデータを提供する（Ｓ８）。これにより、コンテンツ管理サーバ６は、遠隔会議に参加している全ての個人端末２（図５では、個人端末２ａ，２ｃ）にコンテンツ「ＲＣ」のデータを送信する（Ｓ９−１，２）。個人端末２ａでは、ウェブブラウザにより操作表示領域１１２ａにコンテンツ「ＲＣ」が表示され（Ｓ１０−１）、個人端末２ｃでは、ウェブブラウザにより操作表示領域１１２ｃにコンテンツ「ＲＣ」が表示される（Ｓ１０−２）。
【００６２】
以上より、個人端末２ｃのウェブブラウザによってコンテンツが表示される場合に、個人端末２ｃの利用者Ｃが自己の個人端末２ｃでドラックアンドドロップにより操作表示領域１０２ｃから操作表示領域１１２ｃの所望の位置に、画面要素のコンテンツ「Ｃ」をコピーする動作を行うことで、コンテンツ管理サーバ６では、個人電子キャンパスｄｃ３から共用電子キャンパスｃｃに、画面要素のコンテンツ「Ｃ」のデータをデータコピーすることができる。
【００６３】
なお、本実施形態では、操作表示領域１０２ｃのコンテンツを操作表示領域１１２ｃにコピーために、個人端末２ｃ内でデータコピーするわけではない。データコピーするのは、コンテンツ管理サーバ６であり、個人端末２ｃでは、ウェブブラウザによって、コピー後のコンテンツが表示される。
【００６４】
また、本実施形態では、個人端末２ｃで表示されている個人の操作表示領域１０２ｃから共用の操作表示領域１１２ｃにコンテンツをドラックアンドドロップしたが、これに限るものではない。例えば、個人端末２ａ又は個人端末２ｂで表示されている個人の操作表示領域から共用の操作表示領域にコンテンツをドラックアンドドロップしてもよい。
【００６５】
（処理又は動作の詳細）
続いて、図６乃至図１０を用いて、第１の実施形態における処理又は動作の詳細について説明する。図６は、コンテンツの入力及び表示の処理を示したシーケンス図である。ここでは、上記前提状態より後の処理（Ｓ５）から詳細に説明する。
【００６６】
まず、利用者Ｃが個人端末２ｃで、キーボード２１１及びマウス２１２によって画面要素のコンテンツ「ＩＣ」を入力すると、受付部２２ｃが入力を受け付ける（Ｓ２１）。そして、送受信部２１ｃは、コンテンツ管理サーバ６に対して、画面要素のコンテンツ「ＩＣ」のデータ、及び個人電子キャンパスｄｃ３におけるコンテンツの表示位置を示す表示位置情報ｐ１を送信する（Ｓ２２）。これにより、コンテンツ管理サーバ６の送受信部６１は、コンテンツ「ＩＣ」のデータ及び表示位置情報ｐ１を受信する。
【００６７】
次に、コンテンツ管理サーバ６では、記憶・読出処理部６９が、個人コンテンツ管理ＤＢ６００１における個人電子キャンパスｄｃ３のＵＲＬが管理されている個人コンテンツ管理テーブルに、コンテンツ「ＩＣ」のデータ及び表示位置情報ｐ１を関連付けて記憶する（Ｓ２３）。そして、作成部６３は、固有のコンテンツＩＤ１１を作成する（Ｓ２４）。
【００６８】
次に、記憶・読出処理部６９が、ステップＳ２３で記憶したコンテンツデータ及び表示位置情報ｐ１に対して、ステップＳ２４で作成されたコンテンツＩＤ１１を関連付けて記憶する（Ｓ２５）。
【００６９】
次に、送受信部６１は、個人端末２ｃに対して、個人電子キャンパスを更新する旨の通知である更新通知を送信する（Ｓ２６）。なお、利用者Ｃが複数の個人端末を有し、それぞれから同じ個人電子キャンパス（ＵＲＬ）にアクセスしている場合には、コンテンツ管理サーバ６は、利用者Ｃの複数の個人端末に対して更新通知を送信する。これにより、個人端末２ｃの操作表示領域１０２ｃを表示させるウェブブラウザによって、送受信部２１ｃが更新通知を受信する。
【００７０】
次に、個人端末２ｃの操作表示領域１０２ｃを表示しているウェブブラウザによって、送受信部２１ｃが、コンテンツ管理サーバ６に対して、更新されたコンテンツデータ及び表示位置情報の要求を送信する（Ｓ２７）。これにより、コンテンツ管理サーバ６の送受信部６１は、要求を受信する。
【００７１】
次に、コンテンツ管理サーバ６では、記憶・読出処理部６９が、個人コンテンツ管理ＤＢ６００１における個人電子キャンパスｄｃ３用の個人コンテンツ管理テーブルから、更新されたコンテンツに係るコンテンツＩＤ１１、コンテンツ「ＩＣ」のデータ及び表示位置情報ｐ１を読み出す（Ｓ２８）。そして、送受信部６１は、個人端末２ｃに対して、コンテンツＩＤ１１、コンテンツ「ＩＣ」のデータ、表示位置情報ｐ１を送信する（Ｓ２９）。これにより、個人端末２ｃのウェブブラウザによって、送受信部２１ｃが、コンテンツＩＤ１１、コンテンツ「ＩＣ」のデータ、表示位置情報ｐ１を受信する。
【００７２】
次に、個人端末２ｃでは、記憶・読出処理部２９ｃが、個人コンテンツ管理ＤＢ２００１ｃに対して、ステップＳ２９で受信された、コンテンツＩＤ１１、コンテンツ「ＩＣ」のデータ、及び表示位置情報ｐ１を関連付けて記憶する（Ｓ３０）。これにより、個人端末２ｃのウェブブラウザによって、表示制御部２４ｃは、操作表示領域１０２ｃ上に画面要素であるコンテンツ「ＩＣ」を表示させるように更新する（Ｓ３１）。
【００７３】
以上より、コンテンツの入力及び表示の処理が終了する。
【００７４】
続いて、図７乃至図１０を用いて、コピー対象のコンテンツが画面要素の場合のコピーの処理を説明する。図７及び図１０は、コピー対象のコンテンツが画面要素の場合のコピーの処理を示したシーケンス図である。図１０は図７の処理の続きを示している。図９は、要求内容の判断処理を示したフローチャートである。
【００７５】
まず、利用者Ｃが個人端末２ｃのマウス２１２によって、コンテンツ「ＩＣ」のうちコンテンツ「Ｃ」を指定すると、受付部２２ｃはコンテンツ「Ｃ」の指定を受け付ける（Ｓ４１）。そして、利用者Ｃがマウス２１２によってドラックすると、受付部２２ｃはコンテンツ「Ｃ」のドラックを受け付ける（Ｓ４２）。そして、記憶・読出処理部２９ｃは、個人コンテンツ管理ＤＢ２００１ｃから、ドラックに対応するコンテンツＩＤ１１、及び個人キャンパスｄｃ３のＵＲＬを読み出して、記憶部２０００ｃのクリップボードに一時的に記憶する（Ｓ４３）。
【００７６】
次に、利用者Ｃがマウス２１２によって、操作表示領域１１２ｃの所望の表示位置に、コンテンツ「Ｃ」をドロップすると、受付部２２ｃが、ドロップを受け付ける（Ｓ４４）。個人端末２ｃにおけるウェブブラウザ（のウェブアプリ）によって、画像処理部２３ｃが、共用電子キャンパスｃｃにおけるドロップの位置を示す表示位置情報ｐ２を取得する（Ｓ４５）。このように、個人端末２ｃでは、図６に示されている操作表示領域１０２ｃ上の表示位置情報ｐ１とは別に、操作表示領域１１２ｃ上の表示位置情報ｐ２を取得しているが、図８を用いて、表示位置情報ｐ２を取得する理由を説明する。
【００７７】
図８において、（ａ）は無限の個人キャンパスにおける操作表示領域とコンテンツの表示位置を示した概念図、（ｂ）は無限の共用電子キャンパスにおける操作表示領域とコンテンツの表示位置を示した概念図である。
【００７８】
図８（ａ）に示されているように、個人電子キャンパスｄｃ３は無限の領域で出来ており、この無限の領域のうち任意の領域が、操作表示領域１０２ｃで表示されている。一方、図８（ｂ）に示されているように、共有電子キャンバスｃｃも無限の領域で出来ており、この無限の領域のうち任意の領域が、操作表示領域１１２ｃで表示されている。図８では、操作表示領域１０２ｃ及び操作表示領域１１２ｃには、無限の電子キャンパスの異なる領域が表示されている。
【００７９】
そして、図８（ａ）に示されているように、個人の操作表示領域１０２ｃにおける右側にコンテンツの表示位置（ｐ１）がある。この状態で、個人電子キャンパスｄｃ３のコンテンツを共用電子キャンパスｃｃの同じ位置にコピーすると、図８（ｂ）に示されているように、共用の操作表示領域１１２ｃ内にコンテンツが表示されないという問題が生じる。そのため、個人端末２ｃは、個人電子キャンパスｄｃ３ではなく操作表示領域１０２ｃを基準としたコンテンツの位置(p1)に基づいて、共用電子キャンパスｃｃではなく操作表示領域１１２ｃの基準としたコンテンツの位置(p2)を取得することで、利用者の見た目上、同じ位置にコンテンツが表示されるようにしている。
【００８０】
次に、図７に戻って、記憶・読出処理部２９ｃは、記憶部２０００ｃに記憶されているコンテンツＩＤ１１、個人電子キャンパスｄｃ３のＵＲＬを読み出す（Ｓ４６）。そして、操作表示領域１１２ｃを表示させるウェブブラウザによって、送受信部２１ｃは、コンテンツ管理サーバ６に対して、コンテンツのコピー要求（の情報）を送信する（Ｓ４７）。このコピー要求には、ステップＳ４５で取得された表示位置情報ｐ２、並びに、ステップＳ４６で読み出されたコンテンツＩＤ１１及び個人電子キャンパスｄｃ３のＵＲＬが含まれている。これにより、コンテンツ管理サーバ６の送受信部６１は、コンテンツのコピー要求を受信する。
【００８１】
次に、コンテンツ管理サーバ６では、コンテンツのコピー要求の内容を判断する（Ｓ４８）。ここで、図９を用いて、要求内容の判断処理を説明する。
【００８２】
判断部６５は、ステップＳ４７によって、コンテンツＩＤが受信されたかを判断する（Ｓ４８−１）。ステップ４８−１で、判断部６５が、コンテンツＩＤが受信されたと判断した場合には（ＹＥＳ）、画面要素のコンテンツのコピー要求であると判断する（Ｓ４８−２）。一方、ステップ４８−１で、判断部６５が、コンテンツＩＤが受信されたと判断しなかった場合（又は、受信されなかったと判断した場合）には（ＮＯ）、画面キャプチャ画像である画面全体のコンテンツのコピー要求であると判断する（Ｓ４８−３）。なお、ステップＳ４７によって、コンテンツＩＤ１１が受信されているため、ここでは、判断部６５は、画面要素のコンテンツのコピー要求であると判断する。
【００８３】
次に、図７に戻って、記憶・読出処理部６９は、個人電子キャンパスｄｃ３のＵＲＬに基づき、個人コンテンツ管理ＤＢ６００１における個人電子キャンパスｄｃ３用の個人コンテンツ管理テーブルから、コンテンツＩＤで特定されるコンテンツ「Ｃ」のデータを読み出す（Ｓ４９）。作成部６３は、新たにコンテンツＩＤ１２を作成する（Ｓ５０）。そして、記憶・読出処理部６９は、共用コンテンツ管理ＤＢ６００２に対して、ステップＳ４７で受信された表示位置情報ｐ２、ステップＳ４９で読み出された画面要素であるコンテンツ「Ｃ」のデータ、及び、ステップＳ５０で作成されたコンテンツＩＤ１２を関連付けて記憶する（Ｓ５１）。これにより、コンテンツ管理サーバ６では、コンテンツ「Ｃ」のデータが、個人コンテンツ管理ＤＢ６００１から共用コンテンツ管理ＤＢ６００２にデータコピーされる。このデータコピーの処理は、処理の概念を示した図５では、ステップＳ７，Ｓ８に相当する。
【００８４】
図１０に示されているステップＳ６６〜Ｓ７１は、図６におけるステップＳ２６〜Ｓ３１と同様の処理であり、個人コンテンツ管理ＤＢ６００１及び個人コンテンツ管理ＤＢ２００１ｃが、共用コンテンツ管理ＤＢ６００２及び共用コンテンツ管理ＤＢ２００２ｃに変更している。具体的に説明すると、送受信部６１は、個人端末２ｃに対して、共用電子キャンパスを更新する旨の通知である更新通知を送信する（Ｓ６６）。なお、複数の個人端末から同じ共用電子キャンパス（ＵＲＬ）にアクセスしている場合には、コンテンツ管理サーバ６は、各個人端末に対して更新通知を送信する。これにより、個人端末２ｃの操作表示領域１１２ｃを表示させるウェブブラウザによって、送受信部２１ｃが更新通知を受信する。
【００８５】
次に、個人端末２ｃの操作表示領域１１２ｃを表示しているウェブブラウザによって、送受信部２１ｃが、コンテンツ管理サーバ６に対して、更新されたコンテンツデータ及び表示位置情報の要求（の情報）を送信する（Ｓ６７）。これにより、コンテンツ管理サーバ６の送受信部６１は、更新されたコンテンツデータ及び表示位置情報の要求を受信する。
【００８６】
次に、コンテンツ管理サーバ６では、記憶・読出処理部６９が、共用コンテンツ管理ＤＢ６００２から、更新されたコンテンツに係るコンテンツＩＤ１２、コンテンツ「ＲＣ」のデータ及び表示位置情報ｐ２を読み出す（Ｓ６８）。そして、送受信部６１は、個人端末２ｃに対して、コンテンツＩＤ１２、コンテンツ「ＲＣ」のデータ、表示位置情報ｐ２を送信する（Ｓ６９）。これにより、個人端末２ｃのウェブブラウザによって、送受信部２１ｃが、コンテンツＩＤ１２、コンテンツ「ＲＣ」のデータ、表示位置情報ｐ２を受信する。
【００８７】
次に、個人端末２ｃでは、記憶・読出処理部２９ｃが、共用コンテンツ管理ＤＢ２００２ｃに対して、ステップＳ６９で受信された、コンテンツＩＤ１２、コンテンツデータ、及び表示位置情報ｐ２を関連付けて記憶する（Ｓ７０）。これにより、個人端末２ｃのウェブウェブブラウザによって、表示制御部２４ｃは、操作表示領域１１２ｃ上に画面要素であるコンテンツ「ＲＣ」を表示させるように更新する（Ｓ７１）。
【００８８】
＜実施形態の主な効果＞
以上説明したように本実施形態によれば、同じ仮想のルーム(Room)において、ウェブブラウザで表示する操作表示領域１０２ｃから、ウェブブラウザで表示する操作表示領域１１２ｃに画面要素のコンテンツ「Ｃ」をコピーすることができるため、ウェブブラウザで表示する複数の操作表示領域間でコンテンツの連携を行いたいというニーズに合わせることができる。
【００８９】
また、個人端末２ｃの利用者Ｃが自己の個人端末２ｃでドラックアンドドロップにより操作表示領域１０２ｃから操作表示領域１１２ｃの所望の位置に、画面要素のコンテンツ「Ｃ」をコピーする動作を行うことで、コンテンツ管理サーバ６側では、個人コンテンツ管理ＤＢ６００１から共用コンテンツ管理ＤＢ６００２に、画面要素のコンテンツ「Ｃ」のデータをデータコピーすることができる。このように、利用者Ｃは個人端末２ｃで手元の操作（ドラックアンドドロップ）をすれば、個人端末２ｃはコンテンツ管理サーバ６にコピー対象のコンテンツのコンテンツＩＤ及び表示位置情報を送信するため、個人端末２ｃからコンテンツ管理サーバ６に比較的データ通信量が大きいコンテンツデータを送信する必要はない。これにより、通信時間が短縮できるため、最終的に、個人端末２ｃのウェブブラウザによって操作表示領域１１２ｃ上にコピーされたコンテンツが表示されるまでの時間をより短縮することができるという効果を奏する。
【００９０】
具体的には、操作表示領域１１２ｃ上にコピーされたコンテンツが表示されるまでの時間は、コピー対象のコンテンツのデータのほぼダウンロード時間で済む。例えば、ダウンロードとアップロードの通信速度が同じだとすると、本実施形態のように、個人端末２ｃからコンテンツ管理サーバ６にコンテンツのコンテンツＩＤ及び表示位置情報をアップロードする場合は、個人端末２ｃでコンテンツのデータをコピーし、個人端末２ｃからコンテンツ管理サーバ６にコンテンツのデータをアップロードする場合に比べて、約半分の時間で操作表示領域１１２ｃ上コンテンツが表示される。また、現在のネットワーク環境ではアップロードの通信速度の方がダウンロードの通信速度よりも遅いこともあるため、実際には、半部よりも少ない時間で表示されることになる。特に、ドラックアンドドロップされる対象が画面要素ではなく画面全体の場合には、コンテンスのデータ量が大きいため、本実施形態の場合は、操作表示領域１１２ｃ上にコピーされたコンテンツが表示されるまでの時間を更に短縮することができる。
【００９１】
〔第２の実施形態〕
図１１乃至図１３を用いて、本発明の第２の実施形態について説明する。なお、情報共用システムの全体概要、ハードウェア構成、及び機能構成は、第１の実施形態と同様であるため、処理又は動作について説明する。
【００９２】
（処理又は動作の概略）
まずは、図１１を用いて、第２の実施形態における処理又は動作の概略について説明する。図１１は、第２の実施形態に係り、共有電子スクリーンからから個人電子キャンパスにコンテンツをコピーする処理を示した概念図である。
【００９３】
なお、操作表示領域１０２ｃは、無限の個人電子キャンパスｄｃ３における任意の領域を表わしている。
【００９４】
ここでは、利用者Ａが個人端末２ａから共有電子スクリーンｓｓにテキストデータ「ＲＩ」が入力されている画面全体のコンテンツのデータを送信して、個人端末２ｂ，２ｃ及び共用端末４と画面共有した状態で、利用者Ｃが画面共有されている画面全体のコンテンツを個人電子キャンパスｄｃ３にコピーして、画面全体のコンテンツを個人のデータとして取り扱う場面について説明する。
【００９５】
なお、本実施形態では、画面全体のコンテンツが特定のコンテンツの一例である。また、共有電子スクリーンｓｓへのアクセス先（ＵＲＬ）である記憶部６０００上の記憶位置（記憶領域）が記憶部６０００における第１の位置の一例である。個人電子キャンパスｄｃ３へのアクセス先（ＵＲＬ）である記憶部６０００上の記憶位置（記憶領域）が記憶部６０００における第２の位置の一例である。
【００９６】
まず、個人端末２ａでは、操作表示領域１１２ａ上にコンテンツ「ＲＩ」が表示され、この画面全体のコンテンツのデータをコンテンツ管理サーバ６の共有電子スクリーンｓｓに送信する（Ｓ１０１）。これにより、コンテンツ管理サーバ６は、記憶部６０００における共有電子スクリーンｓｓ用の記憶領域に画面全体のコンテンツのデータを記憶する。なお、ステップＳ１０１によって送信されるデータは、動画データでも静止画データでもよい。
【００９７】
次に、利用者Ｃは、個人端末２ｃで操作表示領域１２２ｃを表示させ、コンテンツ管理サーバ６は、個人端末２ｃに画面全体のコンテンツのデータを送信する（Ｓ１０２）。個人端末２ｃでは、ウェブブラウザにより操作表示領域１２２ｃに画面全体のコンテンツが表示される。
【００９８】
また、個人端末２ｃでは、個人電子キャンパスｄｃ３の内容を表示させる操作表示領域１０２ｃが表示されている。
【００９９】
この前提状態で、利用者Ｃは、操作表示領域１２２ｃ上に表示されている画面全体のコンテンツを、自分の個人電子キャンパスｄｃ３にコピーするため、操作表示領域１２２ｃ上の画面全体であるコンテンツ（ここでは、個人端末２ａによる画面キャプチャ画像）を、操作表示領域１０２ｃ上の所望の位置にドラックアンドドロップしてコピーする（Ｓ１０３）。なお、本実施形態では、操作表示領域１２２ｃが第１の操作表示領域の一例であり、操作表示領域１０２ｃが第２の操作表示領域の一例である。
【０１００】
次に、個人端末２ｃは、操作表示領域１０２ｃを表示させるウェブブラウザによって、コンテンツ管理サーバ６に対して、画面全体のコンテンツのコピー要求を行う（Ｓ１０４）。このコピー要求には、コピー元である共有電子スクリーンｓｓのＵＲＬが含まれている。即ち、ドラックアンドドロップによって、コピー元を特定することができる。なお、本実施形態では、第１の実施形態と異なり、コンテンツは画面要素ではなく画面全体であり、コピー対象が画面全体のコンテンツが１つしかないため、コンテンツを特定する必要がない。そのため、画面全体のコンテンツのコンテンツＩＤは送信されない。
【０１０１】
次に、コンテンツ管理サーバ６では、個人電子キャンパスｄｃ３が共有電子スクリーンｓｓのＵＲＬに対して、コンテンツのデータを要求する（Ｓ１０５）。そして、コンテンツ管理サーバ６では、共有電子スクリーンｓｓが個人電子キャンパスｄｃ３に対して、画面全体のコンテンツのデータを提供する（Ｓ１０６）。これにより、コンテンツ管理サーバ６は、遠隔会議に参加している個人端末２ｃに画面全体のコンテンツのデータを送信する（Ｓ１０７）。個人端末２ｃでは、ウェブブラウザにより操作表示領域１０２ｃに画面全体のコンテンツが表示される（Ｓ１０８）。
【０１０２】
以上より、個人端末２ｃの利用者Ｃが自己の個人端末２ｃでドラックアンドドロップにより操作表示領域１２２ｃから操作表示領域１０２ｃに、画面全体のコンテンツをコピーする動作を行うことで、コンテンツ管理サーバ６では、共有電子スクリーンｓｓから個人電子キャンパスｄｃ３に、画面全体のコンテンツのデータをデータコピーすることができる。
【０１０３】
なお、本実施形態でも、操作表示領域１２２ｃのコンテンツを操作表示領域１０２ｃにコピーために、個人端末２ｃ内だけでデータコピーするわけではない。データコピーするのは、コンテンツ管理サーバ６であり、個人端末２ｃでは、ウェブブラウザによって、コピー後のコンテンツが表示される。
【０１０４】
また、本実施形態では、個人端末２ｃで表示されている共有の操作表示領域１２２ｃから個人の操作表示領域１０２ｃにコンテンツをドラックアンドドロップしたが、これに限るものではない。例えば、個人端末２ａ又は個人端末２ｂで表示されている共有の操作表示領域から個人の操作表示領域にコンテンツをドラックアンドドロップしてもよい。また、共用端末４で表示されている共有の操作表示領域から共用の操作表示領域にコンテンツをドラックアンドドロップしてもよい。
【０１０５】
（処理又は動作の詳細）
続いて、図１２及び図１３を用いて、第２の実施形態における処理又は動作の詳細について説明する。ここでは、図７乃至図１０に対応する処理について説明する。図１２及び図１３は、コピー対象のコンテンツが画面全体の場合のコピーの処理を示したシーケンス図である。ここでは、上記前提状態より後の処理（Ｓ１０３）から詳細に説明する。
【０１０６】
まず、利用者Ｃが個人端末２ｃのマウス２１２によって、操作表示領域１２２ｃ上に表示された画面全体のコンテンツを指定すると、受付部２２ｃはが画面全体のコンテンツの指定を受け付ける（Ｓ１４１）。そして、利用者Ｃがマウス２１２によってドラックすると、受付部２２ｃは画面全体のコンテンツのドラックを受け付ける（Ｓ１４２）。そして、記憶・読出処理部２９ｃは、ドラックに対応する共有電子スクリーンｓｓのＵＲＬを、記憶部２０００ｃのクリップボードに一時的に記憶する（Ｓ１４３）。
【０１０７】
次に、利用者Ｃがマウス２１２によって、操作表示領域１０２ｃの所望の表示位置に、画面全体のコンテンツをドロップすると、受付部２２ｃが、ドロップを受け付ける（Ｓ１４４）。個人端末２ｃのウェブブラウザによって、画像処理部２３ｃが、個人電子キャンパスｄｃ３におけるドロップの位置を示す表示位置情報ｐ３を取得する（Ｓ１４５）。記憶・読出処理部２９ｃは、記憶部２０００ｃに記憶されている共有電子スクリーンｓｓのＵＲＬを読み出す（Ｓ１４６）。そして、操作表示領域１０２ｃを表示させるウェブブラウザによって、送受信部２１ｃは、コンテンツ管理サーバ６に対して、コンテンツのコピー要求（の情報）を送信する（Ｓ１４７）。このコピー要求には、ステップＳ１４５で取得された表示位置情報ｐ３、及び、ステップＳ１４６で読み出された共有電子スクリーンｓｓのＵＲＬが含まれている。これにより、コンテンツ管理サーバ６の送受信部６１は、コンテンツのコピー要求を受信する。
【０１０８】
次に、コンテンツ管理サーバ６では、コンテンツのコピー要求の内容を判断する（Ｓ１４８）。この判断は、第１の実施形態におけるステップＳ４８及び図９に示されている処理と同じであるため、説明を省略する。なお、ステップＳ１４７によって、コンテンツＩＤが受信されていないため、判断部６５は、画面キャプチャ画像（画面全体）のコンテンツのデータのコピー要求であると判断する。
【０１０９】
次に、記憶・読出処理部６９は、共有電子スクリーンｓｓのＵＲＬに基づき、記憶部６０００から、画面全体のコンテンツのデータを読み出す（Ｓ１４９）。コンテンツ管理サーバ６の作成部６３は、新たにコンテンツＩＤ１３を作成する（Ｓ１５０）。そして、記憶・読出処理部６９は、個人コンテンツ管理ＤＢ６００１に対して、ステップＳ１４７で受信された表示位置情報ｐ３、ステップＳ４９で読み出された画面全体であるコンテンツのデータ、及び、ステップＳ１５０で作成されたコンテンツＩＤ１３を関連付けて記憶する（Ｓ１５１）。これにより、コンテンツ管理サーバ６では、コンテンツのデータが、記憶部６０００から個人コンテンツ管理ＤＢ６００１にデータコピーされる。このデータコピーの処理は、処理の概念を示した図１１では、ステップＳ１０５，Ｓ１０６に相当する。
【０１１０】
図１３に示されているステップＳ１６６〜Ｓ１７１は、図１０におけるステップＳ６６〜Ｓ７１と同様の処理であり、共用コンテンツ管理ＤＢ６００２及び共用コンテンツ管理ＤＢ２００２ｃが個人コンテンツ管理ＤＢ６００１及び個人コンテンツ管理ＤＢ２００１ｃに変更している。具体的に説明すると、送受信部６１は、個人端末２ｃに対して、個人電子キャンパスを更新する旨の通知である更新通知を送信する（Ｓ１６６）。なお、利用者Ｃが複数の個人端末を有し、それぞれから同じ個人電子キャンパス（ＵＲＬ）にアクセスしている場合には、コンテンツ管理サーバ６は、利用者Ｃの複数の個人端末に対して更新通知を送信する。これにより、個人端末２ｃの操作表示領域１０２ｃを表示させるウェブブラウザによって、送受信部２１ｃが更新通知を受信する。
【０１１１】
次に、個人端末２ｃの操作表示領域１０２ｃを表示しているウェブブラウザによって、送受信部２１ｃが、コンテンツ管理サーバ６に対して、更新されたコンテンツデータ及び表示位置情報の要求（の情報）を送信する（Ｓ１６７）。これにより、コンテンツ管理サーバ６の送受信部６１は、更新されたコンテンツデータ及び表示位置情報の要求を受信する。
【０１１２】
次に、コンテンツ管理サーバ６では、記憶・読出処理部６９が、個人コンテンツ管理ＤＢ６００１から、更新されたコンテンツに係るコンテンツＩＤ１３、画面全体のコンテンツのデータ及び表示位置情報ｐ３を読み出す（Ｓ１６８）。そして、送受信部６１は、個人端末２ｃに対して、コンテンツＩＤ１３、画面全体のコンテンツのデータ、表示位置情報ｐ３を送信する（Ｓ１６９）。これにより、個人端末２ｃのウェブブラウザによって、送受信部２１ｃが、コンテンツＩＤ１３、画面全体のコンテンツのデータ、表示位置情報ｐ３を受信する。
【０１１３】
次に、個人端末２ｃでは、記憶・読出処理部２９ｃが、個人コンテンツ管理ＤＢ２００１ｃに対して、ステップＳ１６９で受信された、コンテンツＩＤ１３、コンテンツデータ、及び表示位置情報ｐ３を関連付けて記憶する（Ｓ１７０）。これにより、個人端末２ｃのウェブブラウザによって、表示制御部２４ｃは、操作表示領域１０２ｃ上に画面全体であるコンテンツを表示させるように更新する（Ｓ１７１）。
【０１１４】
＜実施形態の主な効果＞
以上説明したように本実施形態によれば、個人端末２ｃの利用者Ｃが自己の個人端末２ｃでドラックアンドドロップにより操作表示領域１２２ｃから操作表示領域１０２ｃの所望の位置に、画面全体のコンテンツをコピーする動作を行うことで、コンテンツ管理サーバ６では、画面キャプチャが行われて、個人コンテンツ管理ＤＢ６００１に、画面全体のコンテンツのデータをデータコピーすることができる。このように、利用者Ｃは個人端末２ｃでの手元の操作（ドラックアンドドロップ）をすれば、個人端末２ｃはコンテンツ管理サーバ６にコピー対象のコンテンツの表示位置情報を送信するため、個人端末２ｃからコンテンツ管理サーバ６に比較的データ通信量が大きい画面全体のコンテンツデータを送信する必要はない。これにより、通信時間が短縮できるため、最終的に、個人端末２ｃのウェブブラウザによって操作表示領域１０２ｃ上にコピーされたコンテンツが表示されるまでの時間をより短縮することができるという効果を奏する。
【０１１５】
〔その他の実施形態例〕
以上、本発明を実施形態について説明したが、本発明はこうした実施形態に何等限定されるものではなく、本発明の要旨を逸脱しない範囲内において種々の変形及び置換を加えることができる。
【０１１６】
例えば、「ドラックアンドドロップ」には、マウスやキーボードによる操作の他に、指のタッチ等による操作、音声による操作、視線による操作、及び脳波による操作等も含まれる。
【０１１７】
また、本実施形態ではＨＴＭＬのＣａｎｖａｓ要素を使用して説明したが、ＷｅｂＧＬ、ＳＶＧ（Scalable Vector Graphics）、ＦＬＡＳＨ（登録商標）等をしようしてもよい。
【０１１８】
また、上記実施形態では、１つのウェブブラウザによって、２つの操作表示領域が表示されているが、２つのウェブブラウザ（第１のウェブブラウザ、第２のウェブブラウザ）が、それぞれ操作表示領域（第１の操作表示領域、第２の操作表示領域）を表示させるようにしてもよい。また、２つの操作表示領域ではなく、３つ以上のウェブブラウザがそれぞれ操作表示領域（この場合、操作表示領域も３つ以上）を表示するようにしてもよい。更に、１つのウェブブラウザが、３つ以上の操作表示領域を表示するようにしてもよい。
【０１１９】
上記各実施形態では、個人電子キャンパス及び共用電子キャンパスは、無限の電子キャンパスとして説明したが、これに限らず有限の電子キャンパスであってもよい。
【０１２０】
また、個人電子キャンパスは、個人端末２のディスプレイ２０８の表示可能範囲内で表示される限定的な有限の電子キャンパスであってもよい。同じく、共用電子キャンパスは、共用端末４のディスプレイ４０８の表示可能範囲内で表示される限定的な有限の電子キャンパスであってもよい。この場合、図８で説明したように、操作表示領域１０２において表示位置(p1)に表示されているコンテンツが、操作表示領域１１２ｃでは表示されないという問題は生じないため、上記ステップ４５で個人端末２は、操作表示領域１１２ｃ用の表示位置情報ｐ２を取得する必要はなく、図６に示されている表示位置情報ｐ１を利用すればよい。
【０１２１】
また、上記各実施形態におけるドラックアンドドロップはコンテンツのコピーであるが、これに限らず、ドラックアンドドロップには、コンテンツのカットアンドペーストが含まれてもよい。
【０１２２】
上記各実施形態では、個人端末２及び共用端末４と、コンテンツ管理サーバ６との通信経路間に、他の端末又は他のサーバがデータ（又は情報）を中継することが開示されていないが、他の端末又は他のサーバがデータ（又は情報）を中継してもよい。
【０１２３】
また、図１において、共用端末４及び共用電子キャンパスｃｃは、無くてもよい。
【０１２４】
更に、上記で説明した実施形態の各機能（図３参照）は、一又は複数の処理回路によって実現することが可能である。ここで、「処理回路」とは、電子回路により実装されるプロセッサのようにソフトウェアによって各機能を実行するようプログラミングされたプロセッサや、上記で説明した各機能を実行するよう設計されたASIC（Application Specific Integrated Circuit）、DSP（digital signal processor）、FPGA（field programmable gate array）や従来の回路モジュール等のデバイスを含むものとする。
【０１２５】
なお、上記コンテンツ記憶要求（Ｓ１１８、Ｓ１３８、Ｓ１５５参照）及び画面キャプチャ要求（Ｓ２１４、Ｓ２３４、Ｓ２５４）は、コンテンツに関する要求の一例である。
【０１２６】
〔開示された発明〕
上記各実施形態は、以下に示されているような側面の発明も開示されている。
【０１２７】
〔付記項１〕
通信端末のウェブブラウザで表示させるコンテンツのデータを管理するコンテンツ管理サーバであって、
前記通信端末でウェブブラウザによって第１の操作表示領域に表示させるコンテンツのデータを記憶する第１の位置、及び前記通信端末でウェブブラウザによって第２の操作表示領域に表示させるコンテンツのデータを記憶する第２の位置を有する記憶手段と、
前記通信端末において前記第１の操作表示領域に表示されている特定のコンテンツが前記第２の操作表示領域にドラックアンドドロップされたことにより前記通信端末が送信した、前記第１の位置を指定するための位置指定情報を受信する受信手段と、
前記位置指定情報で指定される第１の位置に記憶されている前記特定のコンテンツのデータを前記第２の位置にデータコピーして記憶する記憶処理手段と、
前記第２の位置に記憶された前記特定のコンテンツのデータを、前記通信端末が受信できるように送信する送信手段と、
を有することを特徴とするコンテンツ管理サーバ。
【０１２８】
〔付記項２〕
前記受信手段は、前記通信端末が送信した前記特定のコンテンツのデータを識別するための特定のコンテンツ識別情報を受信し、
前記送信手段は、前記受信手段によって前記特定のコンテンツ識別情報が受信されたことに応じて、前記特定のコンテンツのデータであり前記第２の操作表示領域に表示させる画面要素のデータを、前記通信端末が受信できるように送信すること
を特徴とする付記項１に記載のコンテンツ管理サーバ。
【０１２９】
〔付記項３〕
前記第１の操作表示領域は共有画面を表示する操作表示領域であり、前記第２の操作表示領域は個人のコンテンツを表示する操作表示領域であることを特徴とする付記項２に記載のコンテンツ管理サーバ。
【０１３０】
〔付記項４〕
前記特定のコンテンツは、前記第１の操作表示領域で表示されている画面全体のコンテンツであることを特徴とする付記項１に記載のコンテンツ管理サーバ。
【０１３１】
〔付記項５〕
前記１の操作表示領域は共有画面のコンテンツを表示する操作表示領域であり、前記第２の操作表示領域は個人のコンテンツを表示する操作表示領域であることを特徴とする付記項１に記載のコンテンツ管理サーバ。
【０１３２】
〔付記項６〕
付記項１乃至５のいずれか一項に記載のコンテンツ管理サーバと、
前記通信端末と、
を有することを特徴とする情報共用システム。
【０１３３】
〔付記項７〕
前記通信端末は、
ウェブブラウザによって、第１の操作表示領域及び当該第１の操作表示領域に特定のコンテンツを表示すると共に第２の操作表示領域を表示する表示制御手段と、
前記第１の操作表示領域に表示されている特定のコンテンツが前記第２の操作表示領域にドラックアンドドロップされる処理を受け付ける受付手段と、
前記受付手段によって前記処理が受け付けられたことにより、前記コンテンツ管理サーバに対して、前記特定のコンテンツのデータの位置を指定するための位置指定情報を送信する指定情報送信手段と、
前記指定情報送信手段によって前記位置指定情報が送信されたことにより、前記コンテンツ管理サーバが送信した前記第２の操作表示領域に表示させる前記特定のコンテンツのデータを受信するコンテンツ受信手段と、を有し
前記表示制御手段は、前記第２の操作表示領域に前記特定のコンテンツを表示することを特徴とする付記項８に記載の情報共用システム。
【０１３４】
〔付記項８〕
通信端末のウェブブラウザで表示させるコンテンツのデータを管理するコンテンツ管理サーバが実行する通信方法であって、
前記コンテンツ管理サーバは、前記通信端末でウェブブラウザによって第１の操作表示領域に表示させるコンテンツのデータを記憶する第１の位置、及び前記通信端末でウェブブラウザによって第２の操作表示領域に表示させるコンテンツのデータを記憶する第２の位置を有する記憶手段を有し、
前記コンテンツ管理サーバは、
前記通信端末において前記第１の操作表示領域に表示されている特定のコンテンツが前記第２の操作表示領域にドラックアンドドロップされたことにより前記通信端末が送信した、前記第１の位置を指定するための位置指定情報を受信する受信ステップと、
前記位置指定情報で指定される第１の位置に記憶されている前記特定のコンテンツのデータを前記第２の位置にデータコピーして記憶する記憶処理ステップと、
前記第２の位置に記憶された前記特定のコンテンツのデータを、前記通信端末が受信できるように送信する送信ステップと、
を実行することを特徴とする通信方法。
【０１３５】
〔付記項９〕
前記受信ステップは、前記通信端末が送信した前記特定のコンテンツのデータを識別するための特定のコンテンツ識別情報を受信する処理を含み、
前記送信ステップは、前記受信ステップによって前記特定のコンテンツ識別情報が受信されたことに応じて、前記特定のコンテンツのデータであり前記第２の操作表示領域に表示させる画面要素のデータを、前記通信端末が受信できるように送信する処理を含むこと
を特徴とする付記項６に記載の通信方法。
【０１３６】
〔付記項１０〕
コンピュータに、付記項９又は１０に記載の方法を実行させるためのプログラム。
【符号の説明】
【０１３７】
２ａ、２ｂ、２ｃ  個人端末（通信端末の一例）
４  共用端末（通信端末の一例）
６  コンテンツ管理サーバ
２１ａ、２１ｂ、２１ｃ  送受信部（指定情報送信手段の一例、コンテンツ受信手段の一例／送信手段の一例、受信手段の一例）
２２ａ、２２ｂ、２２ｃ  受付部（受付手段の一例）
２３ａ、２３ｂ、２３ｃ  画像処理部
２４ａ、２４ｂ、２４ｂ  表示制御部（表示制御手段の一例）
２５ａ、２５ｂ、２５ｃ  判断部
２９ａ、２９ｂ、２９ｃ  記憶・読出処理部
４１  送受信部（指定情報送信手段の一例、コンテンツ受信手段の一例／送信手段の一例、受信手段の一例）
４２  受付部（受付手段の一例）
４３  画像処理部
４４  表示制御部
４５  判断部
４９  記憶・読出処理部
６１  送受信部（送信手段の一例、受信手段の一例／コンテンツ送信手段の一例、指定情報受信手段の一例）
６３  作成部（作成手段の一例）
６５  判断部（判断手段の一例）
６９  記憶・読出処理部（記憶処理手段の一例）
２０００  記憶部
２００１  個人コンテンツ管理ＤＢ
２００２  共用コンテンツ管理ＤＢ
４０００  記憶部
４００２  共用コンテンツ管理ＤＢ
６０００  記憶部（記憶手段の一例）
６００１  個人コンテンツ管理ＤＢ
６００２  共用コンテンツ管理ＤＢ
【先行技術文献】
【特許文献】
【０１３８】
【特許文献１】特開２０１４−２２９８５号公報
【図１】
2020077375.tif 000003
【図２】
2020077375.tif 000004
【図３】
2020077375.tif 000005
【図４】
2020077375.tif 000006
【図５】
2020077375.tif 000007
【図６】
2020077375.tif 000008
【図７】
2020077375.tif 000009
【図８】
2020077375.tif 000010
【図９】
2020077375.tif 000011
【図１０】
2020077375.tif 000012
【図１１】
2020077375.tif 000013
【図１２】
2020077375.tif 000014
【図１３】
2020077375.tif 000015